【手続補正書】
【提出日】平成23年3月14日(2011.3.14)
【手続補正１】
【補正対象書類名】特許請求の範囲
【補正対象項目名】全文
【補正方法】変更
【補正の内容】
【特許請求の範囲】
【請求項１】
第１画像及び第２画像を１画面内に含む合成画像を生成する２画面処理モードと、第１フォーマットの第１入力三次元画像を第２フォーマットの出力三次元画像に変換する三次元画像処理モードとを有する三次元画像処理装置であって、
前記２画面処理モード時において、前記第１画像に第１フォーマット変換処理を行うことにより、第１処理画像を生成する第１画像処理部と、
前記２画面処理モード時において、前記第２画像に第２フォーマット変換処理を行うことにより、第２処理画像を生成する第２画像処理部と、
前記第１処理画像及び前記第２処理画像を合成することにより、前記合成画像を生成する合成部と、
前記２画面処理モード時において、前記合成画像を出力し、前記三次元画像処理モード時において、前記出力三次元画像を出力する出力部とを備え、
前記第１画像処理部は、前記三次元画像処理モード時において、前記第１入力三次元画像の左半分である左画面入力画像に第３フォーマット変換処理を行うことにより、前記出力三次元画像の左半分である左画面出力画像を生成し、
前記第２画像処理部は、前記三次元画像処理モード時において、前記第１入力三次元画像の右半分である右画面入力画像に第４フォーマット変換処理を行うことにより、前記出力三次元画像の右半分である右画面出力画像を生成し、
前記出力部は、前記三次元画像処理モード時において、前記左画面出力画像と前記右画面出力画像とを出力する
三次元画像処理装置。
【請求項２】
前記第１、第２、第３及び第４フォーマット変換処理は、画像サイズの変更処理、フレームレート変換処理、及びインタレース方式からプログレッシブ方式への変換処理のうち少なくとも一つを含む
請求項１記載の三次元画像処理装置。
【請求項３】
前記第３フォーマット変換処理及び前記第４フォーマット変換処理は、フレームレートを増加させる処理を含む
請求項２記載の三次元画像処理装置。
【請求項４】
前記第１入力三次元画像及び前記出力三次元画像は、視聴者の左眼用の左眼用画像と、視聴者の右眼用の右眼用画像とを含み、
前記第３フォーマット変換処理及び前記第４フォーマット変換処理は、さらに、前記左眼用画像と前記右眼用画像との配置パターンを変更する処理を含む
請求項２又は３記載の三次元画像処理装置。
【請求項５】
前記第１、第２、第３及び第４フォーマット変換処理は、インタレース方式からプログレッシブ方式への変換処理を含む
請求項２〜４のいずれか１項に記載の三次元画像処理装置。
【請求項６】
前記三次元画像処理装置は、さらに、メモリを備え、
前記第１画像処理部は、
前記三次元画像処理モード時において、前記左画面入力画像に、前記第３フォーマット変換処理に含まれ、画像サイズを縮小する処理を含む第１前処理を行うことにより第３処理画像を生成し、当該第３処理画像を前記メモリに格納する第１前処理部を備え、
前記第２画像処理部は、
前記三次元画像処理モード時において、前記右画面入力画像に、前記第４フォーマット変換処理に含まれ、画像サイズを縮小する処理を含む第２前処理を行うことにより第４処理画像を生成し、当該第４処理画像を前記メモリに格納する第２前処理部を備え、
前記第１画像処理部は、さらに、
前記三次元画像処理モード時において、前記メモリに格納されている前記第３処理画像及び前記第４処理画像の少なくとも一方を含む第５処理画像に、前記第３フォーマット変換処理に含まれ、画像サイズを拡大する処理を含む第１後処理を行うことにより、前記左画面出力画像を生成する第１後処理部を備え、
前記三次元画像処理モード時において、前記メモリに格納されている前記第３処理画像及び前記第４処理画像の少なくとも一方を含む第６処理画像に、前記第４フォーマット変換処理に含まれ、画像サイズを拡大する処理を含む第２後処理を行うことにより、前記右画面出力画像を生成する第２後処理部を備える
請求項５記載の三次元画像処理装置。
【請求項７】
前記第１後処理及び前記第２後処理は、さらに、前記左眼用画像と前記右眼用画像との配置パターンを変更する処理を含み、
前記第１後処理部は、前記メモリに格納されている前記第３処理画像及び前記第４処理画像に含まれる複数の画素のうち、前記左画面出力画像に対応する複数の画素を含む前記第５処理画像を読み出し、当該第５処理画像に前記第１後処理を行うことにより、前記左画面出力画像を生成し、
前記第２後処理部は、前記メモリに格納されている前記第３処理画像及び前記第４処理画像に含まれる複数の画素のうち、前記右画面出力画像に対応する複数の画素を含む前記第６処理画像を読み出し、当該第６処理画像に前記第２後処理を行うことにより、前記右画面出力画像を生成する
請求項６記載の三次元画像処理装置。
【請求項８】
前記第１前処理及び前記第２前処理は、走査方式をインタレース方式からプログレッシブ方式へ変換する処理を含む
請求項６又は７記載の三次元画像処理装置。
【請求項９】
前記第１、第２、第３及び第４フォーマット変換処理は、画像サイズの変更、及びフレームレート変換のうち少なくとも一つを含み、
前記三次元画像処理装置は、さらに、
前記２画面処理モード時において、第３画像をインタレース方式からプログレッシブ方式に変換することにより、前記第１画像を生成する第１ＩＰ変換部と、
前記２画面処理モード時において、第４画像をインタレース方式からプログレッシブ方式に変換することにより、前記第２画像を生成する第２ＩＰ変換部とを備え、
前記第１ＩＰ変換部は、前記三次元画像処理モード時において、第２入力三次元画像をインタレース方式からプログレッシブ方式に変換することにより、前記第１入力三次元画像を生成する
請求項１、３及び４のいずれか１項に記載の三次元画像処理装置。
【請求項１０】
前記三次元画像処理装置は、さらに、
前記三次元画像処理モード時において、前記第１入力三次元画像を前記左画面入力画像と前記右画面入力画像とに分割する入力選択部を備える
請求項１〜９のいずれか１項に記載の三次元画像処理装置。
【請求項１１】
第１画像及び第２画像を１画面内に含む合成画像を生成する２画面処理モードと、第１フォーマットの第１入力三次元画像を第２フォーマットの出力三次元画像に変換する三次元画像処理モードとを有し、第１画像処理部と第２画像処理部とを備える三次元画像処理装置の制御方法であって、
前記第１画像処理部が、前記２画面処理モード時において、前記第１画像に第１フォーマット変換処理を行うことにより、第１処理画像を生成するステップと、
前記第２画像処理部が、前記２画面処理モード時において、前記第２画像に第２フォーマット変換処理を行うことにより、第２処理画像を生成するステップと、
前記第１処理画像及び前記第２処理画像を合成することにより、前記合成画像を生成するステップと、
前記第１画像処理部が、前記三次元画像処理モード時において、前記第１入力三次元画像の左半分である左画面入力画像に第３フォーマット変換処理を行うことにより、前記出力三次元画像の左半分である左画面出力画像を生成するステップと、
前記第２画像処理部が、前記三次元画像処理モード時において、前記第１入力三次元画像の右半分である右画面入力画像に第４フォーマット変換処理を行うことにより、前記出力三次元画像の右半分である右画面出力画像を生成するステップと、
前記２画面処理モード時において、前記合成画像を出力するステップと、
前記三次元画像処理モード時において、前記左画面出力画像と前記右画面出力画像とを出力するステップとを含む
三次元画像処理装置の制御方法。